(57)【要約】【課題】商品に添付されたマークに基づいてポイントを集計する際の、マークの収集やポイントの集計の労力を軽減でき、ポイントに応じた処理を迅速に行うことのできるポイント管理装置を提供する。【解決手段】個人端末２からポイント収集報告情報を受信する。そしてポイントを個人情報テーブルに順次加算して登録する。また個人端末２から参加団体の指定を受付け、さらにポイント応募要求を受付ける。そしてポイント応募要求と参加団体の指定とに基づいて、ポイント応募要求を行った個人の識別情報と、ポイントの値とを応募要求記憶テーブルへ登録する。また参加団体端末３からポイント確定要求情報を受信して、該ポイント確定するポイントの値について、協賛団体による資金の提供に利用される確定ポイントへと情報を更新する。【選択図】図１
2008112366.tif 000002
【特許請求の範囲】
【請求項１】
商品に付与されたポイントの収集実績に応じた資金を協賛団体から受けて参加団体に提供する運営団体と、前記ポイントを収集するともに参加団体を指定する個人と、前記個人からの指定に基づいて蓄積されたポイントに応じて前記運営団体より資金の提供を受ける前記参加団体と、前記商品を販売するとともに前記収集されたポイントに応じた資金を前記運営団体に提供する前記協賛団体と、により利用されるポイント管理装置であって、
前記個人の端末から、前記ポイントを特定する前記商品の識別情報を少なくとも格納したポイント収集報告情報を受信するポイント収集報告情報受信手段と、
前記商品の識別情報と当該商品に付与されたポイントとを対応付けて記憶する商品毎ポイント記憶手段と、
前記ポイント収集報告情報に格納された前記商品の識別情報に基づいて、前記商品毎ポイント記憶手段から当該商品のポイントを読み取って、個人情報記憶手段に順次加算して登録する個人毎ポイント登録手段と、
前記個人の端末から、前記参加団体の指定を受付ける参加団体指定受付手段と、
前記個人の端末から、ポイント応募要求を受付けるポイント応募受付手段と、
前記ポイント応募要求と前記参加団体の指定とに基づいて、前記ポイント応募要求を行った個人の識別情報と、その個人について前記個人情報記憶手段に登録されているポイントの値とを少なくとも対応付けて参加団体情報記憶手段へ登録するポイント集計手段と、
前記参加団体の端末から、当該参加団体の識別情報と、前記参加団体情報記憶手段に登録されているポイントのうちポイント確定するポイントの値とを格納したポイント確定要求情報を受信して、該ポイント確定するポイントの値については、前記協賛団体による資金の提供に利用される確定ポイントへと情報を更新するポイント確定手段と、
を備えることを特徴とするポイント管理装置。
【請求項２】
前記ポイント集計手段は、前記個人情報記憶手段に登録されているポイントの値のうち、前記指定された参加団体に割り当てるポイントを前記ポイント応募要求から読み取って、当該ポイントと、前記指定を受付けた参加団体の識別情報とを対応付けて参加団体情報記憶手段へ登録する
ことを特徴とする請求項１に記載のポイント管理装置。
【請求項３】
前記個人毎ポイント登録手段は、前記ポイント収集報告情報に格納されたポイントを、前記個人情報記憶手段へ前記商品の識別情報毎に登録し、
前記個人の端末からポイント閲覧要求を受信して、前記個人情報記憶手段に登録されている前記商品の識別情報とポイントとの対応関係を少なくとも示す個人用表示情報を前記個人の端末へ送信する対個人ポイント表示手段を備える
ことを特徴とする請求項１に記載のポイント管理装置。
【請求項４】
前記ポイント集計手段は、前記参加団体情報記憶手段に前記参加団体の識別情報と、その参加団体の指定を行った個人の識別情報と、その個人が収集したポイントとを対応付けて登録し、
前記参加団体の端末からポイント閲覧要求を受信して、前記参加団体情報記憶手段に登録されている前記参加団体の識別情報と、その参加団体の指定を行った個人の識別情報と、その個人が収集したポイントとの対応関係を少なくとも示す参加団体用表示情報を前記参加団体の端末へ送信する対参加団体ポイント表示手段を備える
ことを特徴とする請求項１に記載のポイント管理装置。
【請求項５】
前記個人情報記憶手段に登録されている前記商品の識別情報とポイントとを読み取って、協賛団体情報記憶手段に、前記商品の識別情報毎に各個人から収集したポイントの総計を当該個人が指定した参加団体毎に登録する協賛団体毎ポイント登録手段と、
前記協賛団体の端末からポイント閲覧要求を受信して、前記協賛団体情報記憶手段に登録されている前記商品の識別情報毎の前記ポイントの総計を少なくとも示す協賛団体用表示情報を前記協賛団体の端末へ送信する対協賛団体ポイント表示手段を備える
ことを特徴とする請求項３に記載のポイント管理装置。
【請求項６】
商品に付与されたポイントの収集実績に応じた資金を協賛団体から受けて参加団体に提供する運営団体と、前記ポイントを収集するともに参加団体を指定する個人と、前記個人からの指定に基づいて蓄積されたポイントに応じて前記運営団体より資金の提供を受ける前記参加団体と、前記商品を販売するとともに前記収集されたポイントに応じた資金を前記運営団体に提供する前記協賛団体と、により利用されるポイント管理装置におけるポイント管理方法であって、
前記ポイント管理装置のポイント収集報告情報受信手段が、前記個人の端末から、前記ポイントを特定する前記商品の識別情報を少なくとも格納したポイント収集報告情報を受信し、
前記ポイント管理装置の商品毎ポイント記憶手段が、前記商品の識別情報と当該商品に付与されたポイントとを対応付けて記憶し、
前記ポイント管理装置の個人毎ポイント登録手段が、前記ポイント収集報告情報に格納された前記商品の識別情報に基づいて、前記商品毎ポイント記憶手段から当該商品のポイントを読み取って、個人情報記憶手段に順次加算して登録し、
前記ポイント管理装置の参加団体指定受付手段が、前記個人の端末から、前記参加団体の指定を受付け、
前記ポイント管理装置のポイント応募受付手段が、前記個人の端末から、ポイント応募要求を受付け、
前記ポイント管理装置のポイント集計手段が、前記ポイント応募要求と前記参加団体の指定とに基づいて、前記ポイント応募要求を行った個人の識別情報と、その個人について前記個人情報記憶手段に登録されているポイントの値とを少なくとも対応付けて参加団体情報記憶手段へ登録し、
前記ポイント管理装置のポイント確定手段が、前記参加団体の端末から、当該参加団体の識別情報と、前記参加団体情報記憶手段に登録されているポイントのうちポイント確定するポイントの値とを格納したポイント確定要求情報を受信して、該ポイント確定するポイントの値については、前記協賛団体による資金の提供に利用される確定ポイントへと情報を更新する
ことを特徴とするポイント管理方法。
【請求項７】
商品に付与されたポイントの収集実績に応じた資金を協賛団体から受けて参加団体に提供する運営団体と、前記ポイントを収集するともに参加団体を指定する個人と、前記個人からの指定に基づいて蓄積されたポイントに応じて前記運営団体より資金の提供を受ける前記参加団体と、前記商品を販売するとともに前記収集されたポイントに応じた資金を前記運営団体に提供する前記協賛団体と、により利用されるポイント管理装置のコンピュータに実行させるプログラムであって、
前記個人の端末から、前記ポイントを特定する前記商品の識別情報を少なくとも格納したポイント収集報告情報を受信するポイント収集報告情報受信処理と、
前記ポイント収集報告情報に格納された前記商品の識別情報に対応付けられて商品毎ポイント記憶手段に記録されている該当商品のポイントを読み取って、個人情報記憶手段に順次加算して登録する個人毎ポイント登録処理と、
前記個人の端末から、前記参加団体の指定を受付ける参加団体指定受付処理と、
前記個人の端末から、ポイント応募要求を受付けるポイント応募受付処理と、
前記ポイント応募要求と前記参加団体の指定とに基づいて、前記ポイント応募要求を行った個人の識別情報と、その個人について前記個人情報記憶手段に登録されているポイントの値とを少なくとも対応付けて参加団体情報記憶手段へ登録するポイント集計処理と、
前記参加団体の端末から、当該参加団体の識別情報と、前記参加団体情報記憶手段に登録されているポイントのうちポイント確定するポイントの値とを格納したポイント確定要求情報を受信して、該ポイント確定するポイントの値については、前記協賛団体による資金の提供に利用される確定ポイントへと情報を更新するポイント確定処理と、
をコンピュータに実行させるプログラム。
【発明の詳細な説明】
【技術分野】
【０００１】
本発明は、商品等に添付されているマークを切り取って収集し、そのマークに記載されているポイントを貯め、また応募することにより、そのポイントに応じた資金等の提供を受けることのできる仕組みに利用されるポイント管理装置及びポイント管理方法並びにそのプログラムに関する。
【背景技術】
【０００２】
商品等に添付されているマークを参加団体（ＰＴＡなど）に所属している個人が切り取って収集し、そのマークに記載されているポイントを貯め、また応募することにより、参加団体がそのポイントに応じた資金等の提供を受けることのできる仕組みが存在する。この仕組みにおいて、運営団体がその仕組みを運営している。そしてマークを添付した商品を販売する協賛団体（企業など）が参加団体によって集められたマークの点数に応じた資金を運営団体に提供し、また運営団体は参加団体が収集したマークのポイントの総計に応じて、協賛団体から提供を受けた資金を参加団体へ還流し、当該参加団体は資金の提供を受けるとその額に応じた物を協力会社などから購入することができる。このような仕組みを提供することによって、例えば、学校における備品を増やし、教育環境の充実を図っている。ところで、上述のような商品に添付されているマークをコンピュータシステムのサーバへ送信する技術として特許文献１が公開されている。
【特許文献１】特開２００２−２７９２６８号公報
【発明の開示】
【発明が解決しようとする課題】
【０００３】
ここで、上記仕組みにおいては、個人が商品に添付されているマークを切り取って収集する作業の労力が大きいこと、また参加団体や運営団体がマークのポイントを集計する作業の労力が大きいこと、また集計に時間がかかることによって参加団体への資金の提供に時間がかかることなどの問題があり、またそれによってポイント収集活動への参加に対する意欲の低下などが問題であった。
【０００４】
そこでこの発明は、商品に添付されたマークに基づいてポイントを集計する際の、マークの収集やポイントの集計の労力を軽減でき、ポイントに応じた処理を迅速に行うことのできるポイント管理装置及びポイント管理方法並びにそのプログラムを提供することを目的としている。
【課題を解決するための手段】
【０００５】
上記目的を達成するために、本発明は、商品に付与されたポイントの収集実績に応じた資金を協賛団体から受けて参加団体に提供する運営団体と、前記ポイントを収集するともに参加団体を指定する個人と、前記個人からの指定に基づいて蓄積されたポイントに応じて前記運営団体より資金の提供を受ける前記参加団体と、前記商品を販売するとともに前記収集されたポイントに応じた資金を前記運営団体に提供する前記協賛団体と、により利用されるポイント管理装置であって、前記個人の端末から、前記ポイントを特定する前記商品の識別情報を少なくとも格納したポイント収集報告情報を受信するポイント収集報告情報受信手段と、前記商品の識別情報と当該商品に付与されたポイントとを対応付けて記憶する商品毎ポイント記憶手段と、前記ポイント収集報告情報に格納された前記商品の識別情報に基づいて、前記商品毎ポイント記憶手段から当該商品のポイントを読み取って、個人情報記憶手段に順次加算して登録する個人毎ポイント登録手段と、前記個人の端末から、前記参加団体の指定を受付ける参加団体指定受付手段と、前記個人の端末から、ポイント応募要求を受付けるポイント応募受付手段と、前記ポイント応募要求と前記参加団体の指定とに基づいて、前記ポイント応募要求を行った個人の識別情報と、その個人について前記個人情報記憶手段に登録されているポイントの値とを少なくとも対応付けて参加団体情報記憶手段へ登録するポイント集計手段と、前記参加団体の端末から、当該参加団体の識別情報と、前記参加団体情報記憶手段に登録されているポイントのうちポイント確定するポイントの値とを格納したポイント確定要求情報を受信して、該ポイント確定するポイントの値については、前記協賛団体による資金の提供に利用される確定ポイントへと情報を更新するポイント確定手段と、を備えることを特徴とするポイント管理装置である。
【０００６】
また本発明は、上述のポイント管理装置において、前記ポイント集計手段が、前記個人情報記憶手段に登録されているポイントの値のうち、前記指定された参加団体に割り当てるポイントを前記ポイント応募要求から読み取って、当該ポイントと、前記指定を受付けた参加団体の識別情報とを対応付けて参加団体情報記憶手段へ登録することを特徴とする。
【０００７】
また本発明は、上述のポイント管理装置において、前記個人毎ポイント登録手段が、前記ポイント収集報告情報に格納されたポイントを、前記個人情報記憶手段へ前記商品の識別情報毎に登録し、前記個人の端末からポイント閲覧要求を受信して、前記個人情報記憶手段に登録されている前記商品の識別情報とポイントとの対応関係を少なくとも示す個人用表示情報を前記個人の端末へ送信する対個人ポイント表示手段を備えることを特徴とする。
【０００８】
また本発明は、上述のポイント管理装置において、前記ポイント集計手段が、前記参加団体情報記憶手段に前記参加団体の識別情報と、その参加団体の指定を行った個人の識別情報と、その個人が収集したポイントとを対応付けて登録し、前記参加団体の端末からポイント閲覧要求を受信して、前記参加団体情報記憶手段に登録されている前記参加団体の識別情報と、その参加団体の指定を行った個人の識別情報と、その個人が収集したポイントとの対応関係を少なくとも示す参加団体用表示情報を前記参加団体の端末へ送信する対参加団体ポイント表示手段を備えることを特徴とする。
【０００９】
また本発明は、上述のポイント管理装置が、前記個人情報記憶手段に登録されている前記商品の識別情報とポイントとを読み取って、協賛団体情報記憶手段に、前記商品の識別情報毎に各個人から収集したポイントの総計を当該個人が指定した参加団体毎に登録する協賛団体毎ポイント登録手段と、前記協賛団体の端末からポイント閲覧要求を受信して、前記協賛団体情報記憶手段に登録されている前記商品の識別情報毎の前記ポイントの総計を少なくとも示す協賛団体用表示情報を前記協賛団体の端末へ送信する対協賛団体ポイント表示手段を備えることを特徴とする。
【００１０】
また本発明は、商品に付与されたポイントの収集実績に応じた資金を協賛団体から受けて参加団体に提供する運営団体と、前記ポイントを収集するともに参加団体を指定する個人と、前記個人からの指定に基づいて蓄積されたポイントに応じて前記運営団体より資金の提供を受ける前記参加団体と、前記商品を販売するとともに前記収集されたポイントに応じた資金を前記運営団体に提供する前記協賛団体と、により利用されるポイント管理装置におけるポイント管理方法であって、前記ポイント管理装置のポイント収集報告情報受信手段が、前記個人の端末から、前記ポイントを特定する前記商品の識別情報を少なくとも格納したポイント収集報告情報を受信し、前記ポイント管理装置の商品毎ポイント記憶手段が、前記商品の識別情報と当該商品に付与されたポイントとを対応付けて記憶し、前記ポイント管理装置の個人毎ポイント登録手段が、前記ポイント収集報告情報に格納された前記商品の識別情報に基づいて、前記商品毎ポイント記憶手段から当該商品のポイントを読み取って、個人情報記憶手段に順次加算して登録し、前記ポイント管理装置の参加団体指定受付手段が、前記個人の端末から、前記参加団体の指定を受付け、前記ポイント管理装置のポイント応募受付手段が、前記個人の端末から、ポイント応募要求を受付け、前記ポイント管理装置のポイント集計手段が、前記ポイント応募要求と前記参加団体の指定とに基づいて、前記ポイント応募要求を行った個人の識別情報と、その個人について前記個人情報記憶手段に登録されているポイントの値とを少なくとも対応付けて参加団体情報記憶手段へ登録し、前記ポイント管理装置のポイント確定手段が、前記参加団体の端末から、当該参加団体の識別情報と、前記参加団体情報記憶手段に登録されているポイントのうちポイント確定するポイントの値とを格納したポイント確定要求情報を受信して、該ポイント確定するポイントの値については、前記協賛団体による資金の提供に利用される確定ポイントへと情報を更新することを特徴とする。
【００１１】
また本発明は、商品に付与されたポイントの収集実績に応じた資金を協賛団体から受けて参加団体に提供する運営団体と、前記ポイントを収集するともに参加団体を指定する個人と、前記個人からの指定に基づいて蓄積されたポイントに応じて前記運営団体より資金の提供を受ける前記参加団体と、前記商品を販売するとともに前記収集されたポイントに応じた資金を前記運営団体に提供する前記協賛団体と、により利用されるポイント管理装置のコンピュータに実行させるプログラムであって、前記個人の端末から、前記ポイントを特定する前記商品の識別情報を少なくとも格納したポイント収集報告情報を受信するポイント収集報告情報受信処理と、前記ポイント収集報告情報に格納された前記商品の識別情報に対応付けられて商品毎ポイント記憶手段に記録されている該当商品のポイントを読み取って、個人情報記憶手段に順次加算して登録する個人毎ポイント登録処理と、前記個人の端末から、前記参加団体の指定を受付ける参加団体指定受付処理と、前記個人の端末から、ポイント応募要求を受付けるポイント応募受付処理と、前記ポイント応募要求と前記参加団体の指定とに基づいて、前記ポイント応募要求を行った個人の識別情報と、その個人について前記個人情報記憶手段に登録されているポイントの値とを少なくとも対応付けて参加団体情報記憶手段へ登録するポイント集計処理と、前記参加団体の端末から、当該参加団体の識別情報と、前記参加団体情報記憶手段に登録されているポイントのうちポイント確定するポイントの値とを格納したポイント確定要求情報を受信して、該ポイント確定するポイントの値については、前記協賛団体による資金の提供に利用される確定ポイントへと情報を更新するポイント確定処理と、をコンピュータに実行させるプログラムである。
【発明の効果】
【００１２】
本発明によれば、個人は商品のポイントを特定するための商品のシリアル番号を携帯電話などのバーコード読取装置兼通信装置で読み取ってポイント管理装置に送ることによってポイントを収集できるので、従来のような商品からポイントを示すマークを切り取って収集する労力を軽減することができる。
【００１３】
また参加団体にとっても商品のシリアル番号を格納したポイント収集報告によってそのポイントの計算がポイント管理装置で行われるので、参加団体に属するまたは関係する個人からのポイント収集報告に基づくポイントの集計の労力を軽減することができる。
【００１４】
また個人端末からのポイント応募要求と、参加団体端末からのポイント確定要求の２つの要求をポイント管理装置で受信して初めて、協賛団体による資金の提供に利用される確定ポイントが登録されることとなるので、従来のポイント確定までの一連の処理、つまり、個人がマークを収集して参加団体に持ち寄り（ポイント収集報告に相当）、参加団体がマークのポイントを集計して、その集計したマークの合計を運営団体に通知（ポイント確定要求に相当）することにより資金提供のを受けるという従来の人手による手順と同じ意味を持った処理をコンピュータ上で再現することができる。これにより、従来の仕組みを変更することなく運営団体がポイントと資金の流れの管理を行うことができる。
【００１５】
またポイント管理装置のコンピュータでポイント確定の処理を行うので、ポイントの協賛団体への通知を、参加団体からの要求に応じて直ちに行うことができるので、ポイントに応じた資金の参加団体への提供の処理を迅速に行うことができる。
【００１６】
またリアルタイムでポイントの収集実績が把握できることで、個人のポイント収集活動の参加への意欲の増加が期待できる。そして協賛団体、運営団体はポイントの収集状況に応じた的確な広報活動や推進施策を行い、さらに個人のポイント収集活動への参加の意欲を増加させることができる。
【発明を実施するための最良の形態】
【００１７】
以下、本発明の一実施形態によるポイント管理装置を図面を参照して説明する。図１は同実施形態によるポイント管理装置の構成を示すブロック図である。この図において、符号１はポイント管理装置である。また２は個人端末である。また３は参加団体端末である。また４は運営団体端末である。また５は協賛団体端末である。そしてポイント管理装置１は、各端末と通信処理を行う通信処理部１０１、ポイント管理装置１内の各処理部を制御する制御部１０２と共に、ポイント収集報告処理部１０３、参加団体指定受付処理部１０４、ポイント応募受付処理部１０５、ポイント集計部１０６、ポイント確定部１０７、ポイント表示部１０８、商品毎ポイント記憶部１０９、個人情報記憶部１１０、参加団体情報記憶部１１１、協賛団体情報記憶部１１２、運営団体情報記憶部１１３を備えている。なお各機能部や記憶部の処理の詳細については後述する。
【００１８】
次に、各データベースの記憶する情報について説明する。
図２は商品毎ポイント記憶部の記憶するデータテーブルを示す図である。
図２で示すように商品毎ポイント記憶部１０９は商品毎ポイントテーブルを記憶している。この商品毎ポイントテーブルには商品に添付されているバーコードに格納された商品のシリアル番号、その商品の商品名、その商品に付与されたポイント、その商品を販売した協賛団体の識別情報（以下、協賛団体ＩＤ）、協賛団体の名称（以下、）協賛団体名）などが対応付けられて格納されている。
【００１９】
図３は個人情報記憶部の記憶するポイント収集報告記憶テーブルを示す図である。
図４は個人情報記憶部の記憶する個人情報テーブルを示す図である。
個人情報記憶部１１０は図３で示すようなポイント収集報告記憶テーブルや、図４で示すような個人情報テーブルを記憶している。ポイント収集報告記憶テーブルには、個人端末２から受信した商品のシリアル番号と、その商品を販売している協賛団体のＩＤ、協賛団体名、個人端末２を用いてシリアル番号を送信した個人のユーザＩＤ、その個人が選択した（または個人に特定される）参加団体のＩＤが対応付けられて格納されている。また個人情報テーブルには、ユーザＩＤに対応付けて、個人端末２から受信したポイント収集報告ごとのシリアル番号、そのシリアル番号で得られるポイント数、そのシリアル番号が付与される商品の識別番号（以下、商品ＩＤ）、が対応付けられて登録されている。なお個人情報記憶部１１０にはポイント収集報告記憶テーブル、個人情報テーブルのほかに、ユーザＩＤとパスワードを対応付けた個人認証用テーブルが登録されているものとする。
【００２０】
図５は参加団体情報記憶部の記憶する応募要求記憶テーブルを示す図である。
参加団体情報記憶部１１１には図５で示すような応募要求記憶テーブルを記憶している。応募要求記憶テーブルには、協賛団体ＩＤ、協賛団体名、商品名、ユーザＩＤ、応募ポイント数、未確定ポイント数が、参加団体ＩＤに対応付けられて格納されている。つまり応募要求記憶テーブルには、参加団体に属するまたは関連する個人が、各協賛団体の販売する各商品について収集したポイント数のうちの応募ポイント数と未確定ポイント数が格納されている。なお応募とは、個人が収集したポイントを参加団体へ提供する行為を意味する。また未確定ポイントとは個人が収集したが応募されなかったポイント、つまり残ポイントである。
【００２１】
図６は協賛団体情報記憶部の記憶するポイント確定要求記憶テーブルを示す図である。
協賛団体情報記憶部１１２には図６で示すようなポイント確定要求記憶テーブルを記憶している。ポイント確定要求記憶テーブルには、協賛団体ＩＤ、商品名、参加団体名、確定ポイント数、ユーザＩＤ、応募ポイント数が対応付けられて格納されている。つまりポイント確定要求記憶テーブルには、協賛団体の販売する各商品について収集された参加団体毎の確定ポイント数と、その確定ポイント数の収集に携わった個人毎の応募ポイント数が、協賛団体毎に格納されている。なお確定とは、参加団体が個人から収集したポイントを運営団体に報告する行為を意味する。
【００２２】
図７は運営団体情報記憶部の記憶するポイント管理テーブルを示す図である。
運営団体情報記憶部１１３には図７で示すようなポイント管理テーブルを記憶している。このポイント管理テーブルには、協賛団体ＩＤ、協賛団体名、商品名、確定ポイント総数、参加団体名、応募ポイント総数、未確定ポイント数、ユーザＩＤ、応募ポイント数が対応付けられて格納されている。つまり協賛団体が販売している商品毎に、その商品の確定ポイント総数（一つの商品について各参加団体から確定を受けたポイントの総数）と、その商品の参加団体毎の確定ポイント数と、未確定ポイント数と、確定ポイント数の収集に携わった個人毎の応募ポイント数とが格納されている。
【００２３】
図８はポイント管理装置を用いたポイント収集・集計・使用システムの概要を示す図である。
図８に示すようにポイント収集・集計・使用システムにおいては、まず、参加団体に加入している個人が商品に添付されているマークの近傍のバーコード（２次元バーコードなど）を、携帯電話などの個人端末２（バーコード読取装置兼通信装置）を用いて読み込み（ステップＳ１）、当該バーコードに格納された商品のシリアル番号等を格納したポイント収集報告情報を生成してポイント管理装置１へ送信する（ステップＳ２）。この処理が個人によるポイントの収集を意味する。また個人はポイントを預ける参加団体を選択（または予め指定されていても良い）する（ステップＳ３）。そして、個人はある程度ポイントが貯まったところで、ポイント応募要求をポイント管理装置１に対して登録する（ステップＳ４）。この時、貯まった全てのポイントを応募せずに貯まったポイントのうちの任意のポイント数の応募を行うようにしても良い。これにより個人によって貯まったポイントが参加団体に提供されることとなり、参加団体がポイントを収集したこととなる。また参加団体は個人から収集したポイントが貯まったところで、参加団体端末３を用いてポイント確定要求をポイント管理装置１に対して登録する（ステップＳ５）。これによりポイント管理装置１は個人によって応募されたポイントのうちの参加団体によって確定されたポイントの値について、協賛団体による資金の提供に利用される確定ポイントへと情報を更新する（ステップＳ６）。これにより協賛団体は、ポイントに応じた資金を運営団体へ提供し、また運営団体は協賛団体から得た資金を参加団体に還流させる。このポイント管理装置１の一連の処理により、商品に添付されたマークに基づいてポイントを集計する際の、マークの収集やポイントの集計の労力を軽減させ、またポイントに応じた資金の参加団体への還流の処理を迅速に行う仕組みを提供する。また個人、参加団体の代表者、運営団体の管理者、協賛団体の代表者などは端末を用いて、登録されたポイント等の情報をある制限の範囲で閲覧することができる。
【００２４】
図９はポイント管理装置の処理フローを示す第１の図である。
次に、ポイント管理装置１のポイント収集およびポイント応募の処理フローについて順を追って説明する。
個人は商品に添付されているマーク近傍のバーコードを個人端末２で読み取ると、ポイント収集報告の送信指示を端末に入力する。すると個人端末２は読み込んだバーコードから商品のシリアル番号を抽出して、当該シリアル番号を格納したポイント収集報告情報を生成し、ポイント管理装置１へ送信する。ポイント管理装置１は通信ネットワークを介してポイント収集報告情報を受信する（ステップＳ１０１）。次にポイント管理装置１のポイント収集報告処理部１０３はポイント収集報告情報に格納されたシリアル番号を抽出して、当該シリアル番号が正当かどうかを判定する（ステップＳ１０２）。なおこのシリアル番号の正当性の判定は、例えば、シリアル番号のデータベースに同一の番号のシリアル番号が格納されているか否かによって判定し、格納されていれば正当であると判定する。ポイント収集報告処理部１０３はシリアル番号が正当であれば、ログイン画面を生成して当該ログイン画面のデータを個人端末２に送信する（ステップＳ１０３）。またシリアル番号が正当でなければ、ポイント収集報告処理部１０３はエラー画面を生成して当該エラー画面のデータを個人端末２に送信する（ステップＳ１０４）。個人端末２においてはログイン画面を受信した場合には当該ログイン画面を表示してユーザＩＤやパスワードの入力を受付ける。また個人端末２はエラー画面を受信した場合には当該エラー画面を表示する。
【００２５】
ログイン画面にユーザＩＤやパスワードが入力されると個人端末２はそれら入力された情報をポイント管理装置１へ送信する。ポイント管理装置１のポイント収集報告処理部１０３はログインＩＤとパスワードを受信すると、個人情報記憶部１１０の記憶している個人認証用テーブルに当該ログインＩＤとパスワードの組合せが登録されているか否かを判定することにより個人認証を行う（ステップＳ１０５）。そしてポイント収集報告処理部１０３は認証が成功した場合にはポイント収集報告情報に格納されていたシリアル番号に基づいて、商品毎ポイントテーブルからそのシリアル番号で表された商品のポイント値とその商品を販売する協賛団体のＩＤ、協賛団体名を読み取り、それらシリアル番号、協賛団体ＩＤ、協賛団体名、認証時にユーザから入力を受付けたユーザＩＤ、シリアル番号に基づいて読み取ったポイント値、を対応付けてポイント収集報告記憶テーブルに格納する。つまりこの処理により、ポイント収集報告処理部１０３はポイント収集報告情報に関連する情報を登録する（ステップＳ１０６）。
【００２６】
次にポイント収集報告処理部１０３は、ポイント収集報告記憶テーブルに格納した情報のうち、ユーザＩＤとシリアル番号とポイントとシリアル番号から得られる商品のＩＤ（他のデータベースからシリアル番号に基づいて商品ＩＤを読み取っている）とを対応付けて個人情報テーブルに格納する。つまりこの処理により、ポイント収集報告処理部１０３は個人が収集したポイントについての情報を個人特有の情報として個人情報テーブルに登録しておく（ステップＳ１０７）。
【００２７】
このようにポイント収集報告情報が個人端末２から送信されることによって、個人のポイントが個人情報テーブルに蓄積される。そして後日、またはステップＳ１０７の処理に続けて、個人の操作に基づいて個人端末２からポイント応募開始の情報を受信した場合、ポイント応募受付処理部１０５はユーザＩＤの入力を個人端末２より受付け、当該ユーザＩＤに対応付けられた各情報を個人情報テーブルからから読み取って、それらを表示したポイント応募受付画面のデータを生成し、個人端末２へ送信する（ステップＳ１０８）。なおポイント応募受付画面には、個人情報テーブルに格納されているユーザＩＤ、ポイント収集報告で受信したシリアル番号とそのシリアル番号で指定される商品のポイント、その商品名が表示されると共に、同一商品を表すシリアル番号毎、つまり商品毎のポイントの合計が表示される。ポイントの合計はポイント応募受付処理部１０５が計算している。例えば同一商品を表すシリアル番号毎の各ポイントを全て加算すればよい。またさらに、ポイント応募受付画面には、個人が選択できる参加団体の一覧とその選択ボタンが表示されている。またさらに、ポイント応募受付画面には、収集した合計ポイントのうち応募するポイントの値を入力する欄とポイント応募要求を行うボタンなどが各商品毎に表示されている。
【００２８】
そして、個人は個人端末２の液晶等に表示されたポイント応募受付画面において、応募する商品のポイントの値と、参加団体の選択と、を行いポイント応募要求のボタンを押下する。これにより個人端末２はポイント応募要求情報を生成して、ポイント管理装置１へ送信する。なおポイント応募要求情報には、例えば、商品ＩＤ、応募するポイント値（応募ポイント数）、選択された参加団体のＩＤが格納されている（既に固定の参加団体が登録されいる場合には参加団体ＩＤが無くても構わない。また参加団体指定受付処理部１０４が別途の処理において、個人端末２から参加団体の登録を受け付けて、個人情報記憶部１１０にユーザＩＤと対応付けて登録しておくようにしてもよい）。ポイント管理装置１のポイント応募受付処理部１０５がポイント応募要求情報を受信すると（ステップＳ１０９）、ポイント集計部１０６が当該ポイント応募要求情報から、参加団体ＩＤ、商品ＩＤ、ユーザＩＤ、応募ポイント数を抽出し、これらを対応付けて応募要求記憶テーブルに格納する。つまりポイント応募要求情報に格納された情報を応募要求記憶テーブルに格納する（ステップＳ１１０）。
【００２９】
なお図５においては、商品ＩＤについてその商品の商品名を他のデータベースから検索して応募要求記憶テーブルに格納した場合の例を示している。またさらにポイント集計部１０６は、ポイント応募要求情報から抽出した商品ＩＤに基づいて、当該商品を販売している協賛団体のＩＤと協賛団体名とを他のデータベースから検索して読み取り、対応付けて格納してもよい（この場合の応募要求記憶テーブルの例が図５で示されている）。またさらに、ポイント集計部１０６は、ポイント応募要求情報から抽出した商品ＩＤからその商品について既に収集されたポイント数の値を個人情報テーブルから読み取って、その値から応募ポイント数の値を減じることにより、当該商品の未確定ポイント数を算出し、応募要求記憶テーブルに対応付けて登録するようにしても良い（この場合の応募要求記憶テーブルの例が図５で示されている）。以上の処理により、応募要求記憶テーブルが生成され、これにより個人によるポイントの収集と応募の処理が完了し、参加団体にとっては各商品についてのポイントを参加団体に所属または関連する個人から各商品についてのポイントを収集したこととなる。
【００３０】
図１０はポイント管理装置の処理フローを示す第２の図である。
次に、ポイント管理装置のポイント確定の処理フローについて順を追って説明する。
個人端末２からポイント応募要求を受信することにより応募要求記憶テーブルには各商品の応募ポイント数（各個人から応募されたポイントの数）が蓄積する。このような状況において参加団体の管理者はある程度の応募ポイント数が蓄積されると、その応募ポイント数を合計である応募ポイント総数に応じた資金提供を受けるためのポイント確定要求を参加団体端末３を用いてポイント管理装置１へ送信する。この処理としては、まず、参加団体の管理者が参加団体端末３を用いてポイント管理装置１へアクセスし、ポイント確定開始の要求をポイント管理装置１が受信する（ステップＳ２０１）。するとポイント管理装置１のポイント確定部１０７は、ポイント確定開始画面のデータを参加団体端末３に送信する（ステップＳ２０２）。なおポイント確定開始画面には参加団体ＩＤとパスワードの入力欄が表示されている。
【００３１】
次に、参加団体端末３のモニタにおいてはポイント確定開始画面が表示される。そして参加団体の管理者が当該画面において参加団体ＩＤとパスワードを入力し、ポイント確定開始ボタンを押下すると、参加団体端末３は参加団体ＩＤとパスワードとを格納したポイント確定開始要求情報を生成してポイント管理装置１へ送信する。ポイント管理装置１ではポイント確定開始要求情報を受信すると、ポイント確定部１０７がポイント確定開始要求情報から参加団体ＩＤとパスワードを抽出し、当該参加団体ＩＤとパスワードの組合せが参加団体情報記憶部１１１に認証用テーブル（図示せず）に対応付けられて格納されているか否かの判定により、参加団体の管理者の認証を行う（ステップＳ２０３）。そしてポイント確定部１０７は、参加団体ＩＤとパスワードの組合せが格納されていれば認証成功を判定し、ポイント確定開始要求を行った参加団体に関する応募要求記憶テーブルに格納されている情報を用いてポイント確定用画面を生成し、当該ポイント確定用画面のデータを参加団体端末３へ送信する（ステップＳ２０４）。またポイント確定部１０７は、認証が失敗した場合にはエラー画面を生成し、参加団体端末３へ送信する（ステップＳ２０５）。
【００３２】
なおポイント確定用画面には、例えば、協賛団体名と商品名の組合せ毎に、ユーザの応募ポイント総数の合計が表示されている。このユーザの応募ポイント総数は、協賛団体名と商品名の組合せ毎に応募要求記憶テーブルに格納された各個人の応募ポイント数を合計すればよい。またポイント確定用画面には、協賛団体名と商品名の組合せのうちどの組合せのポイント確定を行うかを指定する入力欄や、ポイント確定要求を行うためのボタンなどが表示される。そして、参加団体の管理者は参加団体端末３に表示されたポイント確定用画面において協賛団体名と商品名の組合せのうち、どの組合せのポイントを確定するかの入力を行い、またポイント要求を行うためのボタンを押下する。これにより、参加団体端末３はポイント確定要求情報を生成する。ポイント確定要求には、参加団体ＩＤ、協賛団体名と商品名などが格納される。そして参加団体端末３はポイント確定要求情報をポイント管理装置１へ送信する。
【００３３】
次にポイント管理装置１でポイント確定要求情報を受信すると（ステップＳ２０６）、ポイント確定部１０７がポイント確定要求情報に格納されている情報（参加団体ＩＤ、協賛団体名、商品名）を抽出する。そして、参加団体ＩＤ、協賛団体名、商品名の組合せに対応付けられて応募要求記憶テーブルに格納されてい協賛団体ＩＤ、ユーザＩＤ、応募ポイント数を読み取る。そして、ポイント確定要求情報から抽出した情報と、応募要求記憶テーブルから読み取った情報とに基づいてポイント確定要求テーブルを更新する（ステップＳ２０７）。つまり、ポイント確定要求テーブルには図６で示したように、協賛団体ＩＤ、商品名、参加団名（参加団体ＩＤから検索）、確定ポイント数、ユーザＩＤ、応募ポイント数とが対応付けられて登録される。ここで確定ポイント数はポイント確定部１０７が各個人の応募ポイント数を合計して算出している。このポイント確定要求テーブルでは、各協賛団体が販売する商品それぞれについての確定ポイント数が、参加団体毎に登録され、またその参加団体に属する（または関連する）個人毎の応募ポイント数についても登録されることとなる。つまり、ポイント確定部１０７の処理により、個人によって収集・応募され、また参加団体によって確定されたポイントの値（応募要求記憶テーブルに記録されていた値）が、ポイント確定要求テーブルに移行することにより、協賛団体による資金の提供に利用される確定ポイントへと情報が更新される。そしてこの確定ポイントはそのポイントの値に応じて、協賛団体から運営団体へ提供される資金の算出に利用される。また運営団体によって協賛団体から得た資金を参加団体に還流させる処理が行われることとなる。
【００３４】
上述の処理に加えて、ポイント確定部１０７は、ポイント確定要求記憶テーブルを更新すると、そのポイント確定要求記憶テーブルを更新した情報を用いて、さらにポイント管理テーブル（図７）を更新する（ステップＳ２０８）。つまり、ポイント確定要求記憶テーブルを更新した情報である、協賛団体ＩＤ、商品名、参加団名、確定ポイント数、ユーザＩＤ、応募ポイント数を用いて、協賛団体ＩＤから協賛団体名を他のデータベースから検索し、また確定ポイント数と未確定ポイント数を算出する。確定ポイント総数は、一つの商品につてポイント確定を行った参加団体の各確定ポイント数を合計すればよい。また未確定ポイント数については、ある商品とその商品についてポイント確定を行った参加団体に所属する各ユーザごとの、当該商品についての未確定ポイント数を応募要求記憶テーブルから読み取って合計すればよい。そしてそれらの情報を用いてポイント管理テーブルを更新する
【００３５】
またポイント管理装置１は個人端末２、参加団体端末３、運営団体端末４、協賛団体端末５からの情報閲覧要求に基づいて、各端末に応じた情報閲覧画面を生成して対応する端末へ送信する。個人端末２からの情報閲覧要求を受けた場合には、ポイント表示部１０８が個人端末２へユーザＩＤとパスワードの入力を求め、個人のユーザＩＤとパスワードに基づいて認証が成功した場合には、個人のユーザＩＤに対応付けらて個人情報テーブル（図４）に記録されているシリアル番号、ポイント名、商品ＩＤ、また商品ＩＤから検索した商品名などを表示する個人用閲覧画面を生成して個人端末２へ送信する。なお認証失敗した場合にはエラー画面を生成して個人端末２へ送信する。
【００３６】
また参加団体端末３からの情報閲覧要求を受けた場合には、ポイント表示部１０８が参加団体端末３へユーザＩＤとパスワードの入力を求め、参加団体の管理者のユーザＩＤとパスワードに基づいて認証が成功した場合には、参加団体の管理者のユーザＩＤに対応付けらて応募要求記憶テーブル（図５）に記録されている協賛団体ＩＤ、協賛団体名、商品名、ユーザＩＤ、応募ポイント数、未確定ポイント数などを表示する参加団体用閲覧画面を生成して個人端末２へ送信する。なお認証失敗した場合にはエラー画面を生成して参加団体端末３へ送信する。
【００３７】
また協賛団体端末５からの情報閲覧要求を受けた場合には、ポイント表示部１０８が協賛団体端末５へユーザＩＤとパスワードの入力を求め、協賛団体の管理者のユーザＩＤとパスワードに基づいて認証が成功した場合には、協賛団体の管理者のユーザＩＤに対応付けらてポイント確定要求記憶テーブル（図６）に記録されている協賛団体ＩＤ、商品名、ユーザＩＤ、参加団体名、確定ポイント数、ユーザＩＤ、応募ポイント数などを表示する協賛団体用閲覧画面を生成して個人端末２へ送信する。なお認証失敗した場合にはエラー画面を生成して協賛団体端末５へ送信する。
【００３８】
また運営団体端末４からの情報閲覧要求を受けた場合には、ポイント表示部１０８が運営団体端末４へユーザＩＤとパスワードの入力を求め、運営団体の管理者のユーザＩＤとパスワードに基づいて認証が成功した場合には、運営団体の管理者のユーザＩＤに対応付けらて応募ポイント管理テーブル（図７）に記録されている協賛団体ＩＤ、協賛団体名、商品名、確定ポイント総数、参加団体名、応募ポイント総数、未確定ポイント数、ユーザＩＤ、応募ポイント数などを表示する運営団体用閲覧画面を生成して運営団体端末４へ送信する。なお認証失敗した場合にはエラー画面を生成して運営団体端末４へ送信する。なお運営団体の管理者はポイント管理装置１を直接操作してポイント管理装置１のモニタに運営団体用閲覧画面を表示させてもよい。
【００３９】
以上、ポイント管理装置１の処理について説明したが、上述の処理によれば、ポイント収集報告処理部１０３が個人端末２から、ポイントを特定するシリアル番号（商品の識別情報）を少なくとも格納したポイント収集報告情報を受信する。そしてポイント収集報告処理部１０３はポイント収集報告情報に格納されたポイントを商品毎ポイントテーブル（商品毎ポイント記憶手段）から読み取って、個人情報テーブル（個人情報記憶手段）に順次加算して登録する。またポイント収集報告処理部１０３（または参加団体指定受付手段１０４）は、個人端末２から参加団体の指定を受付ける。またポイント応募受付処理部１０５が個人端末２から、ポイント応募要求を受付ける。そして、ポイント集計部１０６がポイント応募要求と参加団体の指定とに基づいて、ポイント応募要求を行った個人のユーザＩＤ（個人の識別情報）と、その個人について個人情報テーブルに登録されているポイントの値とを少なくとも対応付けて応募要求記憶テーブルへ登録する。またポイント確定部１０７が、参加団体端末３から、参加団体ＩＤと、応募要求記憶テーブルに登録されているポイントのうちポイント確定するポイントの値とを格納したポイント確定要求情報を受信して、該ポイント確定するポイントの値について、協賛団体による資金の提供に利用される確定ポイントへと情報を更新する。
【００４０】
以上のポイント管理装置１の処理により、個人は商品のポイントを特定するための商品のシリアル番号を携帯電話などの個人端末２（バーコード読取装置兼通信装置）で読み取ってポイント管理装置１に送ることによってポイントを収集できるので、従来のような商品からポイントを示すマークを切り取って収集する労力を軽減することができる。
【００４１】
また参加団体にとっても商品のシリアル番号を格納したポイント収集報告によってそのポイントの計算がポイント管理装置１で行われるので、参加団体に属するまたは関係する個人からのポイント収集報告に基づくポイントの集計の労力を軽減することができる。
【００４２】
また個人端末２からのポイント応募要求と、参加団体端末３からのポイント確定要求の２つの要求をポイント管理装置１で受信して初めて、協賛団体による資金の提供に利用される確定ポイントが登録されることとなるので、従来のポイント確定までの一連の処理、つまり、個人がマークを収集して参加団体に持ち寄り（ポイント収集報告に相当）、参加団体がマークのポイントを集計して、その集計したマークの合計を運営団体に通知（ポイント確定要求に相当）することにより資金提供のを受けるという従来の人手による手順と同じ意味を持った処理をコンピュータ上で再現することができる。これにより、従来の仕組みを変更することなく運営団体がポイントと資金の流れの管理を行うことができる。
【００４３】
またポイント管理装置１のコンピュータでポイント確定の処理を行うので、ポイントの協賛団体への通知を、参加団体からの要求に応じて直ちに行うことができるので、ポイントに応じた資金の参加団体への提供の処理を迅速に行うことができる。
【００４４】
またリアルタイムでポイントの収集実績が把握できることで、個人のポイント収集活動の参加への意欲の増加が期待できる。そして協賛団体、運営団体はポイントの収集状況に応じた的確な広報活動や推進施策を行い、さらに個人のポイント収集活動への参加の意欲を増加させることができる。
【００４５】
なお、上述のポイント管理装置や各端末は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。
【００４６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４７】
【図１】ポイント管理装置の構成を示すブロック図である。
【図２】商品毎ポイント記憶部の記憶するデータテーブルを示す図である。
【図３】個人情報記憶部の記憶するポイント収集報告記憶テーブルを示す図である。
【図４】個人情報記憶部の記憶する個人情報テーブルを示す図である。
【図５】参加団体情報記憶部の記憶する応募要求記憶テーブルを示す図である。
【図６】協賛団体情報記憶部の記憶するポイント確定要求記憶テーブルを示す図である。
【図７】運営団体情報記憶部の記憶する応募ポイント管理テーブルを示す図である。
【図８】ポイント収集・集計・使用システムの概要を示す図である。
【図９】ポイント管理装置の処理フローを示す第１の図である。
【図１０】ポイント管理装置の処理フローを示す第２の図である。
【符号の説明】
【００４８】
１・・・ポイント管理装置、２・・・個人端末、３・・・参加団体端末、４・・・運営団体端末、５・・・協賛団体端末
【図１】
2008112366.tif 000003
【図２】
2008112366.tif 000004
【図３】
2008112366.tif 000005
【図４】
2008112366.tif 000006
【図５】
2008112366.tif 000007
【図６】
2008112366.tif 000008
【図７】
2008112366.tif 000009
【図８】
2008112366.tif 000010
【図９】
2008112366.tif 000011
【図１０】
2008112366.tif 000012